(57)【要約】      （修正有）【課題】結婚披露宴等において、華やいだ雰囲気を醸し出すことができるようにする装飾具を提供する。【解決手段】支持台２上に、棒状の鋼材をもってティアラの形態になした装飾具本体６を固定する。装飾具本体６に、大きさの異なるブリリアント風にカットしたクリスタルガラスからなる光輝反射体７を複数個取り付けると共に、最大の光輝反射体７′を正面中央に着脱自在に取り付ける。該最大の光輝反射体７′の平坦な正面に祝福を表すメッセージや、新郎新婦の名前、日付等を彫刻等により表示するようにする。板４、５の間における正面から側面にかけての部分に光輝反射体７を多数玉簾状に配設する。装飾具本体６の左右両側から正面にかけて、正面において最も高い位置になるように階段状に燃焼部材８を配設する。該燃焼部材８を導火線１２で接続する。【選択図】図１
0003178573.tif 000002
【実用新案登録請求の範囲】
【請求項１】
複数の連結材をもって連結した上下二枚の板をもって構成した支持台上に、棒状の鋼材をもってティアラの形態になした装飾具本体を固定し、該装飾具本体に、大きさの異なるブリリアント風にカットしたクリスタルガラスからなる光輝反射体を複数個取り付けてなることを特徴とする装飾具。
【請求項２】
ブリリアント風にカットしたクリスタルガラスからなる光輝反射体のうち、最大の光輝反射体を正面中央に着脱自在に取り付けてなることを特徴とする請求項１記載の装飾具。
【請求項３】
前記最大の光輝反射体の平坦な正面に祝福を表すメッセージや日付、名前等を表示するようになした請求項２記載の装飾具。
【請求項４】
前記上下二枚の板の間における正面から側面にかけての部分に、クリスタルガラスからなる光輝反射体を多数玉簾状に配設してなる請求項１、２又は３記載の装飾具。
【請求項５】
装飾具本体の左右両側から正面にかけて、正面において最も高い位置になるように階段状に燃焼部材の載置部を配設してなる請求項１、２、３又は４記載の装飾具。
【請求項６】
燃焼部材がろうそく又は花火である請求項５記載の装飾具。
【請求項７】
燃焼部材を導火線で接続してなる請求項５又は６記載の装飾具。
【請求項８】
ブリリアント風にカットしたクリスタルガラス及び複数の反射面を有する玉簾状の光輝反射体を、後面を遮光しないように取り付けると共に、その後部に照明用光源を配設してなる請求項１、２、３、４、５、６又は７記載の装飾具。
【請求項９】
支持台上に、装飾具本体の正面中央に位置させて、クリスタルガラスからなる光輝反射体を前面に多数固着したハート形装飾板を、固定又は着脱自在に取り付けてなる請求項１、２、３、４、５、６、７又は８記載の装飾具。
【考案の詳細な説明】
【技術分野】
【０００１】
本考案は装飾具に関し、更に詳細には結婚披露宴等の宴席を盛り上げるために使用する装飾具に係わる。
【背景技術】
【０００２】
従来、結婚披露宴では、それを盛り上げるための手段の一つとしてキャンドルサービスが行われている。それは、新郎新婦が各席を回ってキャンドルに着火した後、最後に新郎新婦席の脇に設置した大きなハート形の枠に取り付けたキャンドルの一番下のものに着火させ、これが上方に向かって順々に着火していき、最後に大きなハート形になるようにするものである。
【０００３】
ところで、上記従来のキャンドルサービスに代わるものとして、特許文献１に記載の装飾具が用いられるようになってきた。
【先行技術文献】
【特許文献】
【０００４】
【特許文献１】実用新案登録第３０８５８５７号公報
【０００５】
上記特許文献１に記載の装飾具は、図１１に示す通りであり、図１１において該装飾具１００は、上方から傾斜した２本のアーム部材１０１、１０２に設けた複数の容器保持部１０３、１０３、１０３・・・の各々に、蛍光液１０４を充填したノズル付き容器１０５を保持させ、最上段のノズル付き容器１０５に酸化液１０６を注入してあふれさせ、順次下段のノズル付き容器１０５に流下させて各ノズル付き容器の蛍光液を化学反応により発光させるよう構成したものである。
【０００６】
斯かる特許文献１に記載の装飾具１００によれば、蛍光液が発光することと、発光がいくつも上から下に順々に行われることにおいて従来の単なるキャンドルへの着火よりは盛り上げ効果を高めることはできる。しかし、蛍光液の発光だけであるため、宴席、特に結婚披露宴の場合において重要な煌びやかで華やいだ雰囲気を醸し出す上では今一歩の感があった。
【考案の概要】
【考案が解決しようとする課題】
【０００７】
本考案は上記の点に鑑みなされたものであって、宴席、特に結婚披露宴において煌びやかで華やいだ雰囲気を醸し出すことができるようになした装飾具を提供しようとするものである。
【課題を解決するための手段】
【０００８】
而して、本考案の要旨とするところは、複数の連結材をもって連結した上下二枚の板をもって構成した支持台上に、棒状の鋼材をもってティアラの形態になした装飾具本体を固定し、該装飾具本体に、大きさの異なるブリリアント風にカットしたクリスタルガラスからなる光輝反射体を複数個取り付けてなることを特徴とする装飾具にある。
【０００９】
また、上記構成において、ブリリアント風にカットしたクリスタルガラスからなる光輝反射体のうち、最大の光輝反射体を正面中央に着脱自在に取り付けるようになしてもよい。
【００１０】
また、上記構成において、前記最大の光輝反射体の平坦な正面に祝福を表すメッセージや日付、名前等を表示するようになしてもよい。
【００１１】
また、上記構成において、前記上下二枚の板の間における正面から側面にかけての部分に、透明なクリスタルガラスからなる複数の反射面を有する光輝反射体を多数玉簾状に配設するようになしてもよい。
【００１２】
また、上記構成において、装飾具本体の左右両側から正面にかけて、正面において最も高い位置になるように階段状に燃焼部材の載置部を配設するようになしてもよい。
【００１３】
また、上記構成において、燃焼部材としては、ろうそく又は花火とすることが好ましい。
【００１４】
また、上記構成において、前記燃焼部材を配設する場合においては、燃焼部材を導火線で接続するようになすことが好ましい。
【００１５】
また、上記構成において、ブリリアント風にカットしたクリスタルガラス及び玉簾状に配設したしたクリスタルガラスからなる光輝反射体を、後面を遮光しないように取り付けると共に、その後部に照明用光源を配設するようになしてもよい。
【００１６】
また、上記構成において、支持台上に、装飾具本体の正面中央に位置させて、クリスタルガラスからなる光輝反射体を前面に多数固着したハート形装飾板を、固定又は着脱自在に取り付けるようになしてもよい。
【考案の効果】
【００１７】
本考案は上記の如き構成であり、支持台上に、棒状の鋼材をもってティアラの形態になした装飾具本体を固定し、該装飾具本体に、大きさの異なるブリリアント風にカットしたクリスタルガラスからなる光輝反射体を複数個取り付けてあるから、新郎新婦が前方に進んで室内の照明が暗くなりスポットライトが照射されたときに、装飾具本体に散りばめられた多数の光輝反射体が一斉に輝き、煌びやかで華やいだ雰囲気を醸し出すことができるものである。そして、宴終了後には、新郎新婦の名前や、祝福のメッセージ、日付等が彫刻等により表示された最大の光輝反射体を取り外し、新郎新婦に記念としてプレゼントされ、大きな思い出の品となるものである。
【００１８】
また、上下二枚の板の間における正面から側面にかけての部分に、複数の反射面を有するクリスタルガラスからなる光輝反射体を多数玉簾状に配設するようになした場合には、支持台部分の光輝反射体までが光り輝き、より一層煌びやかで華やいだ雰囲気を醸し出すことができる。
【００１９】
また、装飾具本体の左右両側から正面にかけて、正面において最も高い位置になるように階段状に燃焼部材の載置部を配設するようになした場合には、多数の光輝反射体による輝きとは別に、燃焼部材であるろうそく又は花火による燃焼発光が加わることになり、一層煌びやかで華やいだ雰囲気を醸し出すことができるものである。且つまた、燃焼部材として音を発するものや、吹上げ式の花火とした場合には、その意外性が一層会場の雰囲気を盛り上げることができるものである。
【００２０】
また、上記の場合に、燃焼部材を導火線で接続した場合には、リモコンによる着火又は友人等の人手によって燃焼部材の何れか、例えば最下段の燃焼部材に着火すると、階段状に配設された燃焼部材が下側から順々に一瞬のうちに導火線を介して着火していき、最終的にティアラの形態の装飾具本体の上縁を囲むように発光するものである。
【００２１】
また、ブリリアント風にカットしたクリスタルガラス及び玉簾状に配設したしたクリスタルガラスからなる光輝反射体を、後面を遮光しないように取り付けると共に、その後部に照明用光源を配設するようにしてなる場合には、光輝反射体の後方から照明用光源の光が当たり、前後からの光によって一層輝きを増すことになるものである。また、照明用光源として例えば色付きのＬＥＤを用い、或いは白色ＬＥＤの前面に着色模様板を回転させるようにした場合には、更に別の雰囲気に変えることができるものである。
【００２２】
また、支持台上に、装飾具本体の正面中央に位置させて、クリスタルガラスからなる光輝反射体を前面に多数固着したハート形装飾板を、固定又は着脱自在に取り付けるようになした場合には、装飾具本体による装飾に、結婚披露宴の雰囲気に相応しいハート形装飾板による装飾を加味することができ、より一層煌びやかで華やいだ雰囲気を醸し出すことができるものである。
【図面の簡単な説明】
【００２３】
【図１】本考案の第１実施形態に係る装飾具の正面図である。
【図２】同背面図である。
【図３】同右側面図である。
【図４】同平面図である。
【図５】同底面図である。
【図６】同ろうそく部分の拡大断面図である。
【図７】装飾具本体の中央部分の一部拡大側面図である。
【図８】本考案の第２実施形態に係る装飾具の正面図である。
【図９】同背面図である。
【図１０】本考案の第３実施形態に係る装飾具の燃焼部材を省略して示した正面図である。
【図１１】従来の装飾具の斜視図である。
【考案を実施するための形態】
【００２４】
以下、本考案を実施するための形態について、図面を参照して説明する。
【００２５】
先ず、図１乃至図７に示した本考案の第１実施形態について説明する。
図中、１は装飾具である。２は前記装飾具１を構成する支持台である。また、該支持台２は、垂直な複数の連結材３、３をもって連結した上下二枚の板４、５をもって構成している。また、該板４、５は平面から看て楕円環状をなしている。また、該支持台２上には、後記装飾具本体を固定すると共に、図示しない花を飾るようにしてもよいものである。
【００２６】
６は前記支持台２上に固定する前記装飾具１を構成する装飾具本体である。また、該装飾具本体６は、棒状の鋼材をもってティアラの形態になしたものである。そして、該装飾具本体６には、大きさの異なるブリリアント風にカットしたクリスタルガラスからなる光輝反射体７、７、７・・・を複数個取り付けると共に、最大の光輝反射体７′を正面中央に着脱自在に取り付けている。また、このためブリリアンカット風のクリスタルガラスからなる光輝反射体７、７、７・・・は脱落しないように爪で強固に固定しているが、前記最大の光輝反射体７′は容易に取り外せるように爪で止めている。また、最大の光輝反射体７′を含めてこれらブリリアンカット風にカットしたクリスタルガラスからなる光輝反射体７、７、７・・・は、透明素材からなりその後面を遮光しないように固定している。そしてまた、前記最大の光輝反射体７′の平坦な正面には、新郎新婦の名前、祝福を表すメッセージや日付等を表示するようにしている。尚、該表示方法としては、彫刻と着色によるものが豪華に見えて好ましい。
【００２７】
また、本実施形態においては、前記支持台２における上下二枚の板４、５の間における正面から側面にかけての部分に、複数の反射面を有する透明なクリスタルガラスからなる光輝反射体７、７、７・・・を多数玉簾状に配設している。この複数の反射面を有する透明なクリスタルガラスからなる光輝反射体７、７、７・・・もまたその後面を遮光しないように固定している。また、本実施形態では、該玉簾状に配設したものの上下の縁に、それよりも小さい光輝反射体７、７、７・・・を並設している。
【００２８】
また、本実施形態においては、前記装飾具本体６の左右両側から正面にかけて、正面において最も高い位置になるように階段状に燃焼部材８、８、８・・・を配設している。また、該燃焼部材８、８、８・・・としては、本実施形態ではろうそくを用いており、そして正面において最も高い位置にある燃焼部材８′は、他のものよりも形態や大きさ等において目立つろうそくを用いている。これは、新郎新婦が共同作業としてキャンドルサービスの最後に着火するためのものである。また、該正面において最も高い位置にある燃焼部材８′は、本実施形態では前記支持台２上に立設した支柱９上に取り付けるようにしているが、該燃焼部材８′を用いない場合もあることから、該支柱９は着脱自在となしている。即ち、該支柱９は、支持台２上に立設した円筒状支持体１０に下端部を差し込み、蝶ナット１１によって固定するようになしている。
【００２９】
また、本実施形態においては、上段から下段に至る燃焼部材８、８、８・・・を導火線１２で接続している。尚、本実施形態では、正面において最も高い位置にある燃焼部材８′は導火線１２に接続していない。斯かる燃焼部材８、８′への着火の仕方は、演出を考慮して適宜に行うようにすればよい。
【００３０】
１３は前記装飾具本体の後方に配設した照明用光源であり、前記光輝反射体７、７、７・・・の後方から光を当てるものである。また、該照明用光源１３としては、ＬＥＤや蛍光灯その他の適宜のものを採用可能であり、そして、例えば色付きのＬＥＤを用いるか、或いは白色ＬＥＤの前面に図示しない着色模様板を回転させるようにした場合には、更に別の雰囲気に変えることができるものである。
【００３１】
１４、１４は前記支持台２上に、装飾具本体６の正面中央に位置させて取り付けたハート形装飾板であり、その前面に複数の反射面を有するクリスタルガラス及びその他の形の小さなクリスタルガラスからなる多数の光輝反射体７、７、７・・・を固着している。また、該ハート形装飾板１４、１４は、これを用いない場合もあることから、本実施形態ではこれを着脱自在になしている。即ち、該ハート形装飾板１４、１４を支柱１５の上部に固着し、該支柱１５の下端部を前記支持台２上に立設した円筒状支持体１６に差し込み、蝶ナット１７によって固定するようになしている。
【００３２】
本実施形態は、上記の如く、支持台２上に、棒状の鋼材をもってティアラの形態になした装飾具本体６を固定し、該装飾具本体６に、大きさの異なるブリリアント風にカットしたクリスタルガラスからなる光輝反射体７、７、７・・・を複数個取り付けてあるから、新郎新婦が前方に進んで室内の照明が暗くなりスポットライトが照射されたときに、装飾具本体６に散りばめられた大小の多数の光輝反射体７、７、７・・・が一斉に輝き、煌びやかで華やいだ雰囲気を醸し出すことができるものである。そして、宴終了後には、新郎新婦の名前や、祝福のメッセージ、日付等が彫刻等により表示された最大の光輝反射体７′を取り外し、新郎新婦に記念としてプレゼントされ、大きな思い出の品となるものである。
【００３３】
また、上下二枚の板４、５の間における正面から側面にかけての部分には、透明なクリスタルガラスからなる複数の反射面を有する光輝反射体７、７、７・・・を多数個玉簾状に配設しているから、支持台２部分の光輝反射体７、７、７・・・までが光り輝き、より一層煌びやかで華やいだ雰囲気を醸し出すことができるものである。
【００３４】
また、装飾具本体６の左右両側から正面にかけて、正面において最も高い位置になるように階段状に燃焼部材の載置部を配設しているから、多数の光輝反射体７、７、７・・・による輝きとは別に、燃焼部材８、８、８・・・であるろうそくによる燃焼発光が加わることになり、一層煌びやかで華やいだ雰囲気を醸し出すことができるものである。
【００３５】
また、燃焼部材８、８、８・・・を導火線１２で接続しているから、リモコンによる着火又は友人等の人手によって燃焼部材８、８、８・・・の何れか、例えば最下段の燃焼部材に着火すると、階段状に配設された燃焼部材８、８、８・・・が下側から順々に一瞬のうちに導火線１２を介して着火していき、最終的にティアラの形態の装飾具本体２の上縁を囲むように発光するものである。
【００３６】
また、ブリリアント風にカットしたクリスタルガラス及び上下二枚の板４、５の間におけるクリスタルガラスからなる複数の反射面を有する光輝反射体７、７、７・・・を、後面を遮光しないように取り付けると共に、その後部に照明用光源を配設するようにしているから、光輝反射体７、７、７・・・の後方から照明用光源１３の光が当たり、前後からの光によって一層輝きを増すことになるものである。また、照明用光源１３として例えば色付きのＬＥＤを用い、或いは白色ＬＥＤの前面に着色模様板を回転させるようにした場合には、更に別の雰囲気に変えることができるものである。
【００３７】
また、支持台２上に、装飾具本体６の正面中央に位置させて、クリスタルガラスからなる小さな光輝反射体７、７、７・・・を前面に多数固着したハート形装飾板１４、１４を、固定又は着脱自在に取り付けているから、装飾具本体６による装飾に、結婚披露宴の雰囲気に相応しいハート形装飾板による装飾を加味することができ、より一層煌びやかで華やいだ雰囲気を醸し出すことができるものである。
【００３８】
次に、図８及び図９に示した本考案の第２実施形態について説明する。
【００３９】
本実施形態と前記第１実施形態とは、前記第１実施形態において燃焼部材８、８、８・・・としてろうそくを用いているのに対して、本実施形態において噴き上げ式花火を用いるようにした点において相違するものである。また、花火として発音するものを用いれば、クラッカーと同様の作用をなし、一層雰囲気を盛り上げることができるものである。また、本実施形態においては、正面において最も高い位置にある燃焼部材８のみはろうそくとしている。尚、その他の構成並びに作用は前記第１実施形態と同様であるから、同一の部材には同一の符号を付して詳細な説明は省略する。
【００４０】
次に、図１０に示した本考案の第３実施形態について説明する。
【００４１】
本実施形態と前記第１実施形態とは、前記第１実施形態において支持台２における上下二枚の板４、５の間における正面から側面にかけての部分に、複数の反射面を有するクリスタルガラスからなる光輝反射体７、７、７・・・を多数玉簾状に配設しているのに対して、本実施形態においてはこれを無くし、板状の部材１８により構成した点で相違するものである。この場合においては該板状の部材１８の前に、例えば花を飾るようにすることもできるものである。尚、その他の構成並びに作用は前記第１実施形態と同様であるから、同一の部材には同一の符号を付して詳細な説明は省略する。
【符号の説明】
【００４２】
１  装飾具
２  支持台
４、５  板
６  装飾具本体
７、７、７・・・  光輝反射体
７′  最大の光輝反射体
８、８、８・・・  燃焼部材
９  支柱
１２  導火線
１３  照明用光源
１４、１４  ハート形装飾板
１５  支柱
１８  板状の部材
【図１】
0003178573.tif 000003
【図２】
0003178573.tif 000004
【図３】
0003178573.tif 000005
【図４】
0003178573.tif 000006
【図５】
0003178573.tif 000007
【図６】
0003178573.tif 000008
【図７】
0003178573.tif 000009
【図８】
0003178573.tif 000010
【図９】
0003178573.tif 000011
【図１０】
0003178573.tif 000012
【図１１】
0003178573.tif 000013